(57)【特許請求の範囲】
【請求項１】
デジタルカメラのレンズ鏡筒最前部の内径側に設けられた雌ネジに螺合する雄ネジ部を有したアダプター枠はその入射光側にフィルター枠装着部を有しており、該アダプター枠は予めデジタルカメラのレンズ鏡筒最前部の内径側に装着し、該アダプター枠を介して各種フィルター枠をレンズ鏡筒側に装着可能とし、前記アダプター枠の入射光側に設けられるフィルター枠装着部は、デジタルカメラのレンズ鏡筒の光軸を中心としてアダプター枠の外径側に形成されたリング形状のテーパー部で、該リング形状のテーパー部は入射光側が小口径でレンズ鏡筒側が大口径を有した外径部用テーパー部を有しており、該外径部用テーパー部に嵌合するフィルター枠の内径部テーパー型装着部はフィルター枠の内径部に設けられ先端側が大口径でフィルターレンズ側が小口径を有して各種機能を有するフィルターレンズを挟持したフィルター枠の両面に夫々設けられており、前記デジタルカメラのレンズ鏡筒の最前部に予めアダプター枠を装着しておき、該アダプター枠の外径部用テーパー部にフィルター枠の両面に設けられた内径部テーパー型装着部のどちらかを嵌合して前記フィルター枠を装着することを特徴とするデジタルカメラ用のフィルター着脱機構。
【請求項２】
前記アダプター枠の入射光側に設けられるフィルター枠装着部はデジタルカメラのレンズ鏡筒の光軸を中心としてアダプター枠の外径側に形成されたリング形状のテーパー部で、該リング形状のテーパー部は入射光側が小口径でレンズ鏡筒側が大口径を有した外径部用テーパー部であり、該外径部用テーパー部の大口径部にはＵ字形状の係合溝が刻設され、該外径部用テーパー部に嵌合するフィルター枠の内径部テーパー型装着部の先端部には半丸形状の突起部が設けられており、また前記デジタルカメラのレンズ鏡筒の最前部に予めアダプター枠を装着しておき、該アダプター枠の外径部用テーパー部に形成されたＵ字形状の係合溝にフィルター枠のテーパー型装着部に設けられた半丸形状の突起部が嵌合することでフィルター枠の両面に設けられた内径部テーパー型装着部のどちらかを嵌合して前記フィルター枠を装着することを特徴とする請求項１に記載のデジタルカメラ用のフィルター着脱機構。
【請求項３】
前記アダプター枠の入射光側に設けられるフィルター枠装着部はレンズ鏡筒の光軸を中心としてアダプター枠の内径側に形成された嵌合溝で、該嵌合溝に嵌合するフィルター枠の嵌合係止爪はフィルター枠の外周部より外縁側に突出して設けられた弾性体板材の先端部に位置し、該弾性板材の他端はフィルター枠の内部に固定されていて該弾性体板材の外周部に設けられた二個の摘子をフィルター外径側より押圧することにより弾性体板材を介して前記先端部の嵌合係止爪が光軸方向に可動する構成のフィルター側装着部を有し、該フィルター側装着部は各種機能を有するフィルター枠の両面に夫々設けられており、前記デジタルカメラのレンズ鏡筒の最前部に予めアダプター枠を装着しておき、該アダプター枠の内径側に形成された嵌合溝にフィルター枠の両面に設けられた嵌合係止爪からなるフィルター側装着部のどちらかを嵌合して前記フィルター枠を装着することを特徴とする請求項１に記載のデジタルカメラ用のフィルター着脱機構。
【発明の詳細な説明】
【技術分野】
【０００１】
本発明は、デジタルカメラ用に開発されたフィルター着脱機構に関するものであり、特に本発明は、デジタルカメラのレンズ鏡筒前面に撮影目的に応じて選択した紫外線（ＵＶ）カットフィルター、減光（ＮＤ）フィルター、ソフト効果フィルター、並びにスポット効果フィルター、光条効果フィルターなど種々のフィルターレンズを保持したフィルター枠を装着して撮影を行う際に、前記夫々のフィルター枠を簡単、且つ容易に交換して他のフィルターを装着できるデジタルカメラ用のフィルター枠を提供するものである。
【背景技術】
【０００２】
カメラの撮影用レンズ鏡筒の最前部内径側には、各種のフィルターやフードなど撮影用レンズのアタッチメントを装着するために雌ネジが螺設されており、他方装着されるフィルター枠やフードなどのアタッチメント装着側には雄ネジが螺設されており、フィルター枠やフードなどをそのネジ部の螺合により着脱している。
【０００３】
而して、前記フィルター枠をネジ部により螺合する着脱機構は、次の欠点がある。即ち、カメラの撮影用レンズ鏡筒の最前部に螺設された雌ネジにフィルター枠の雄ネジを螺着するための初めの嵌合操作は、意外と手間取るものであり、独特の勘と操作慣れが必要であり、且つ、ネジ部のネジピッチが細かいため装着するフィルター枠を何回も回転させて、所定位置に装着する必要がある。
【０００４】
従って、初めの雄ネジと雌ネジの嵌合操作を誤ると撮影用レンズとフィルター枠に螺設されたネジ山を壊してしまうこともあり、また当該部分は、ネジの螺合操作であるために所定位置での螺着の加減を間違えるとネジ部が互いに圧着されてしまい取り外しに苦労するという欠点を有しており、この課題を解決するためには、例えば、特開２００４−１０９７１９号公報（以下、特許文献１と称する）の発明がある。
【０００５】
特許文献１の発明は、ワンタッチで簡単、且つ容易に着脱可能なフィルター枠着脱機構を提供するものであり、フィルターを挟持したフィルター外枠と一体化して形成された挿着部を設け、該挿着部はカメラの撮影用レンズ鏡筒の最前部内径側雌ネジ部に挿着可能な外径を持ち、該挿着部の外周部にスプリング嵌合溝を刻設し、該挿着部の外周部に刻設されたスプリング嵌合溝にリング形状で一カ所に切欠部を有するリング型スプリングを嵌着させ、該リング型スプリングが切欠部を介して前記スプリング嵌合溝内で円周方向のバネ作用をするのを利用して、前記フィルターの挿着部がカメラの撮影用レンズ鏡筒の最前部内径側に挿着されたときリング型スプリングが働いて最前部内側に係着してフィルターが撮影用レンズ鏡筒最前部に装着され、該フィルターの取り外しは前記挿着部のリング型スプリングの押圧力に対抗した力で抜脱するよう構成されている。
【０００６】
そして、特許文献１の発明は、リング型スプリングを利用してフィルター枠をカメラレンズ鏡筒の最前部内径雌ネジ部に挿着するものであり、確かにワンタッチで簡単、且つ容易に着脱できるカメラ用のレンズアタッチメント着脱機構を提供している。
【０００７】
然しながら、特許文献１の発明は、カメラの撮影用レンズ鏡筒の最前部内径側に螺設されたフィルターや、他のアタッチメント装着用の雌ネジ部を利用してフィルターや他のアタッチメントを装着するものであり、雌ネジ部にリング型スプリングを挿着する機構は、長年の使用により雌ネジ部のネジ山を摩耗させてしまいレンズ鏡筒先端部をキズ物にしてしまう欠点がある。
【０００８】
また、特許文献１の発明、並びに従来のフィルター枠は、上述したようにカメラの撮影用レンズ鏡筒の最前部に螺設された雌ネジ部を利用してフィルター枠側のリング型スプリングや雄ネジ部を装着するものであり、レンズ鏡筒の最前部内径側に対向するフィルター枠側の装着部は方向性を有しており、フィルター枠の片側のみがリング型スプリングの装着部や雄ネジからなる装着部を形成しているのみで、他の片側は、他のアタッチメントを装着するために雌ネジが螺設された構成となっている。
【０００９】
従って、前記特許文献１の発明、並びに従来タイプのネジ式フィルター枠には裏表があり、レンズ鏡筒に従来のフィルター枠を装着する際には、しっかりとフィルター枠側のリング型スプリングや雄ネジ部を確認して装着操作をする必要があり、暗がりや、シャッターチャンスを逃がしたくない緊急時の撮影現場等では非常に不便なフィルター着脱機構である。
【先行技術文献】
【特許文献】
【００１０】
【特許文献１】特開２００４−１０９７１９号公報
【発明の概要】
【発明が解決しようとする課題】
【００１１】
本発明が解決しようとする課題は、デジタルカメラの鏡筒最前部に撮影目的に応じて選択した紫外線（ＵＶ）カットフィルター、減光（ＮＤ）フィルター、ソフト効果フィルター、並びにスポット効果フィルター、光条効果フィルターなどの種々のフィルター枠を装着して撮影を行う際に、前記夫々の機能を有するフィルターレンズを挟持したフィルター枠は、その両面にカメラレンズ鏡筒最前部に装着するフィルター着脱機構を有しており、また、デジタルカメラのレンズ鏡筒最前部には、あらかじめ前記フィルター着脱機構に嵌合するフィルター装着部を有するアダプター枠が装着されており、該アダプター枠に暗がりや、シャッターチャンスを逃がしたくない緊急時の撮影現場等において各種フィルターレンズを挟持したフィルター枠を簡単、且つ容易に交換、装着することができるデジタルカメラ用のフィルター着脱機構を提供するものである。
【００１２】
また、本発明におけるアダプター枠は、デジタルカメラの鏡筒最前部のアタッチメント装着機構を簡略化して種々フィルター枠やフードなどのアタッチメントを簡単、且つ容易に着脱可能にするものであり、また、デジタルカメラの鏡筒最前部のアタッチメント装着用の雌ネジ部を保護してレンズ鏡筒最前部をキズ付けないデジタルカメラ用のフィルター着脱機構を提供するものである。
【００１３】
更に、本発明におけるデジタルカメラのフィルター着脱機構は、最近のフィルター枠が高分子弾性体を用いて製作されるようになってきたことへの対応策がある。即ち、高分子弾性体によるフィルター枠の製作は、フィルター枠の硬度を任意に選択できることから、比較的柔らかい高分子弾性体を用いることによりフィルター枠を製作し、該フィルター枠をデジタルカメラのレンズ最前部に装着して使用することが考えられ、このケースでは、撮影中にカメラのレンズ鏡筒をガラスや壁にぶつけた場合の緩衝材的役割を果たす機能を生じせしめる等の新しい機能と効果が期待されている。
【００１４】
而して、従来のカメラレンズ鏡筒の最前部は、硬度の硬いレンズ枠内径部にフィルターやフード等のアタッチメント装着用の雌ネジが螺設されており、この雌ネジ部に螺合するフィルター枠の装着部は同程度の硬度を有するアルミ等の金属製からなる雄ネジ部やリング型スプリングによる螺合部等の嵌め合い部を構成する必要があったが、本発明では、レンズ鏡筒最前部とフィルター枠間にアダプター枠を介在せしめ、該アダプター枠の入射光側に高分子弾性体用の独自の装着機構を採用することにより、フィルター枠の装着や嵌め合い操作を容易におこなえるデジタルカメラ用のフィルター着脱機構を提供するものである。
【課題を解決するための手段】
【００１５】
本発明において、デジタルカメラのレンズ鏡筒最前部の内径側に設けられた雌ネジに螺合する雄ネジ部を有したアダプター枠は、その入射光側にフィルター枠装着部を有しており、該アダプター枠は予めレンズ鏡筒最前部の内径側に装着し、該アダプター枠を介して各種フィルター枠をレンズ鏡筒側に装着可能とし、該各種フィルター枠は前記アダプター枠に対して裏表構わず装着でき、且つ任意に離脱可能なフィルター装着部をフィルター枠の両面に形成したデジタルカメラ用のフィルター着脱機構を提供するものである。
【００１６】
本発明において、前記アダプター枠の入射光側に設けられるフィルター枠装着部は、デジタルカメラのレンズ鏡筒の光軸を中心としてアダプター枠の外径側に形成されたリング形状のテーパー部で、該リング形状のテーパー部は入射光側が小口径でレンズ鏡筒側が大口径を有した外径部用テーパー部を有しており、該外径部用テーパー部に嵌合するフィルター枠の内径部テーパー型装着部はフィルター枠の内径部に設けられ先端側が大口径でフィルターレンズ側が小口径を有して各種機能を有するフィルターレンズを挟持したフィルター枠の両面に夫々設けられており、前記デジタルカメラのレンズ鏡筒の最前部に予めアダプター枠を装着しておき、該アダプター枠の外径部用テーパー部にフィルター枠の両面に設けられた内径部テーパー型装着部のどちらかを嵌合して前記フィルター枠を装着するデジタルカメラ用のフィルター着脱機構を提供するものである。
【００１７】
また、本発明において、前記アダプター枠の入射光側に設けられるフィルター枠装着部は、デジタルカメラのレンズ鏡筒の光軸を中心としてアダプター枠の外径側に形成されたリング形状のテーパー部で、該リング形状のテーパー部は入射光側が小口径でレンズ鏡筒側が大口径を有した外径部用テーパー部であり、該外径部用テーパー部の大口径部にはＵ字形状の係合溝が刻設され、該外径部用テーパー部に嵌合するフィルター枠の内径部テーパー型装着部の先端部には半丸形状の突起部が設けられており、また前記デジタルカメラのレンズ鏡筒の最前部に予めアダプター枠を装着しておき、該アダプター枠の外径部用テーパー部に形成されたＵ字形状の係合溝にフィルター枠のテーパー型装着部に設けられた半丸形状の突起部が嵌合することでフィルター枠の両面に設けられた内径部テーパー型装着部のどちらかを嵌合して前記フィルター枠を装着するデジタルカメラ用のフィルター着脱機構でもある。
【００１８】
更に、本発明の実施例として、前記アダプター枠の入射光側に設けられるフィルター枠装着部は、レンズ鏡筒の光軸を中心としてアダプター枠の内径側に形成された嵌合溝で、該嵌合溝に嵌合するフィルター枠の嵌合係止爪はフィルター枠の外径部より外部側に突出して設けられた弾性体板材の先端部に位置し、該弾性板材の他端はフィルター枠に固定されていて該弾性体板材の中間部に設けられた二個以上の摘子をフィルター外径部より押圧することにより弾性体板材を介して前記先端部の嵌合係止爪が光軸方向に可動する構成のフィルター側装着部を有し、該フィルター側装着部は各種機能を有するフィルター枠の両面に夫々設けられており、前記レンズ鏡筒の最前部に予めアダプター枠を装着しておき、該アダプター枠の内径側に形成された嵌合溝にフィルター枠の両面に設けられた嵌合係止爪からなるフィルター側装着部のどちらかを嵌合して前記フィルター枠を装着するデジタルカメラ用のフィルター着脱機構を提供するものである。
【００１９】
そして、本発明において、前記アダプター枠は、アルミ等の金属を使用して製作され、該アダプター枠に装着するフィルター枠並びにフィルター枠の両面に装備されるフィルター側装着部は高分子弾性体を使用して製作されるデジタルカメラ用のフィルター着脱機構である。
【００２０】
また、本発明において、前記アダプター枠には、レンズ保護用フィルターレンズが挟持されており、該レンズ保護用フィルターレンズの入射光側に各種フィルターレンズを装着するためのフィルター枠装着部が設けられているデジタルカメラ用のフィルター着脱機構である。
【発明の効果】
【００２１】
斯くして、本発明は、デジタルカメラの鏡筒最前部に撮影目的に応じて選択した紫外線（ＵＶ）カットフィルター、減光（ＮＤ）フィルター、ソフト効果フィルター、並びにスポット効果フィルター、光条効果フィルターなどの種々のフィルター枠を装着して撮影を行う際に、前記夫々の機能を有するフィルターレンズを挟持したフィルター枠は、その両面にカメラレンズ鏡筒最前部に装着するフィルター着脱機構を有しており、また、デジタルカメラの鏡筒最前部にはあらかじめ前記フィルター着脱機構に嵌合するフィルター装着部を有するアダプター枠が装着されており、該アダプター枠に暗がりや、シャッターチャンスを逃がしたくない緊急時の撮影現場等において各種フィルターレンズを挟持したフィルター枠を簡単、且つ容易に交換して装着することができるデジタルカメラ用のフィルター着脱機構を提供することができる。
【００２２】
また、本発明におけるアダプター枠は、デジタルカメラの鏡筒最前部のアタッチメント装着機構を簡略化して種々フィルター枠やフードなどのアタッチメントを簡単、且つ容易に着脱可能にするものであり、デジタルカメラの鏡筒最前部のアタッチメント装着用の雌ネジ部を保護してレンズ鏡筒最前部をキズ付けないデジタルカメラ用のフィルター着脱機構を提供することができる。
【００２３】
そして、本発明におけるデジタルカメラのフィルター着脱機構は、最近のフィルター枠が高分子弾性体を用いて製作されるようになってきたことへの対応策がある。即ち、高分子弾性体によるフィルター枠の製作は、フィルター枠の硬度を任意に選択できることから、比較的柔らかい高分子弾性体を用いることにより、フィルター枠を製作しデジタルカメラのレンズ最前部に装着して使用することが考えられ、このケースでは、撮影中にカメラのレンズ鏡筒をガラスや壁にぶつけた場合の緩衝材的役割を果たす機能を生じせしめる等の新しい機能と効果が期待されているもので、従来のカメラレンズ鏡筒の最前部は、硬度の硬いレンズ枠内径部にフィルターやフード等のアタッチメント装着用の雌ネジが螺設されており、この雌ネジ部に螺合するフィルター枠の装着部は同程度の硬度を有するアルミ等の金属製からなる雄ネジ部やリング型スプリングによる螺合部や嵌め合い部を構成する必要があったが、本発明では、レンズ鏡筒最前部とフィルター枠間にアダプター枠を介在せしめ、該アダプター枠の入射光側に高分子弾性体用の独自の装着機構を採用することにより、フィルター枠の装着や嵌め合い操作を容易におこなえるデジタルカメラ用のフィルター着脱機構を提供可能にした。
【図面の簡単な説明】
【００２４】
【図１】（Ａ）本発明の実施例１を説明する部材配列図。         （Ｂ）本発明の実施例１を説明する要部断面図。
【図２】（Ａ）本発明の実施例２を説明する部材配列図。         （Ｂ）本発明の実施例２を説明する要部断面図。
【図３】（Ａ）実施例２における他の例を示す要部拡大説明図。         （Ｂ）実施例２における機構位置説明側面図。
【発明を実施するための形態】
【００２５】
本発明は、デジタルカメラの鏡筒最前部に撮影目的に応じて選択した紫外線（ＵＶ）カットフィルター、減光（ＮＤ）フィルター、ソフト効果フィルター、並びにスポット効果フィルター、光条効果フィルター等の種々のフィルター枠を装着して撮影を行う際に、前記夫々の機能を有するフィルターレンズを挟持したフィルター枠は、その両面にカメラレンズ鏡筒最前部に装着するフィルター着脱機構を有しており、また、デジタルカメラの鏡筒最前部にはあらかじめ前記フィルター着脱機構に嵌合するフィルター装着部を有するアダプター枠が装着されており、該アダプター枠に暗がりや、シャッターチャンスを逃がしたくない緊急時の撮影現場等において各種フィルターレンズを挟持したフィルター枠を簡単、且つ容易に交換して装着することができるデジタルカメラ用のフィルター着脱機構を提供するものである。
【００２６】
また、本発明におけるアダプター枠は、デジタルカメラの鏡筒最前部のアタッチメント装着機構を汎用化して種々フィルター枠やフードなどのアタッチメントを簡単、且つ容易に着脱可能にするものであり、また、デジタルカメラの鏡筒最前部のアタッチメント装着用の雌ネジ部を保護してレンズ鏡筒最前部をキズ付けないデジタルカメラ用のフィルター着脱機構を提供するものである。
【００２７】
更に、本発明におけるデジタルカメラのフィルター着脱機構は、最近のフィルター枠が高分子弾性体を用いて製作されるようになってきたことへの対応策がある。即ち、高分子弾性体によるフィルター枠の製作は、フィルター枠の硬度を任意に選択できることから、比較柔らかい高分子弾性体を用いることにより、フィルター枠を製作しデジタルカメラのレンズ最前部に装着して使用することが考えられ、このケースでは、撮影中にカメラのレンズ鏡筒をガラスや壁にぶつけた場合の緩衝材的役割を果たす機能を生じせしめる等の新しい機能と効果が期待されている。
【００２８】
而して、従来のカメラレンズ鏡筒の最前部は、硬度の硬いレンズ枠内径部にフィルターやフード等のアタッチメント装着用の雌ネジが螺設されており、この雌ネジ部に螺合するフィルター枠の装着部は同程度の硬度を有するアルミ等の金属製からなる雄ネジ部やリング型スプリングによる螺合部や嵌め合い部を構成する必要があったが、本発明では、レンズ鏡筒最前部とフィルター枠間にアダプター枠を介在せしめ、該アダプター枠の入射光側に高分子弾性体用の独自の装着機構を採用することにより、フィルター枠の装着や嵌め合い操作を容易におこなえるデジタルカメラ用のフィルター着脱機構を提供するものである。
【００２９】
本発明において、デジタルカメラのレンズ鏡筒最前部の内径側に設けられた雌ネジに螺合する雄ネジ部を有したアダプター枠は、その入射光側にフィルター枠装着部を有しており、該アダプター枠は予めデジタルカメラのレンズ鏡筒最前部の内径側に装着し、該アダプター枠を介して各種フィルター枠をレンズ鏡筒側に装着可能とし、該各種フィルター枠は前記アダプター枠に対して裏表構わず装着でき且つ離脱可能なフィルター装着部をフィルター枠の両面に形成した構成であることが好ましい。
【００３０】
本発明において、前記アダプター枠の入射光側に設けられるフィルター枠装着部は、デジタルカメラのレンズ鏡筒の光軸を中心としてアダプター枠の外径側に形成されたリング形状のテーパー部で、該リング形状のテーパー部は入射光側が小口径でレンズ鏡筒側が大口径を有した外径部用テーパー部を有しており、該外径部用テーパー部に嵌合するフィルター枠の内径部テーパー型装着部はフィルター枠の内径部に設けられ先端側が大口径でフィルターレンズ側が小口径を有して各種機能を有するフィルターレンズを挟持したフィルター枠の両面に夫々設けられており、前記デジタルカメラのレンズ鏡筒の最前部に予めアダプター枠を装着しておき、該アダプター枠の外径部用テーパー部にフィルター枠の両面に設けられた内径部テーパー型装着部のどちらかを嵌合して前記フィルター枠を装着する構成であることが好ましい。
【００３１】
また、本発明において、前記アダプター枠の入射光側に設けられるフィルター枠装着部は、デジタルカメラのレンズ鏡筒の光軸を中心としてアダプター枠の外径側に形成されたリング形状のテーパー部で、該リング形状のテーパー部は入射光側が小口径でレンズ鏡筒側が大口径を有した外径部用テーパー部であり、該外径部用テーパー部の大口径部にはＵ字形状の係合溝が刻設され、該外径部用テーパー部に嵌合するフィルター枠の内径部テーパー型装着部の先端部には半丸形状の突起部が設けられており、また前記デジタルカメラのレンズ鏡筒の最前部に予めアダプター枠を装着しておき、該アダプター枠の外径部用テーパー部に形成されたＵ字形状の係合溝にフィルター枠のテーパー型装着部に設けられた半丸形状の突起部が嵌合することでフィルター枠の両面に設けられた内径部テーパー型装着部のどちらかを嵌合して前記フィルター枠を装着する構成であることが好ましい。
【００３２】
更に、本発明の実施例として、前記アダプター枠の入射光側に設けられるフィルター枠装着部は、レンズ鏡筒の光軸を中心としてアダプター枠の内径側に形成された嵌合溝で、該嵌合溝に嵌合するフィルター枠の嵌合係止爪はフィルター枠の外径部より外部側に突出して設けられた弾性体板材の先端部に位置し、該弾性板材の他端はフィルター枠に固定されていて該弾性体板材の中間部に設けられた二個以上の摘子をフィルター外径部より押圧することにより弾性体板材を介して前記先端部の嵌合係止爪が光軸方向に可動する構成のフィルター側装着部を有し、該フィルター側装着部は各種機能を有するフィルター枠の両面に夫々設けられており、前記レンズ鏡筒の最前部に予めアダプター枠を装着しておき、該アダプター枠の内径側に形成された嵌合溝にフィルター枠の両面に設けられた嵌合係止爪からなるフィルター側装着部のどちらかを嵌合して前記フィルター枠を装着する構成であることが好ましい。
【００３３】
そして、本発明において、前記アダプター枠は、アルミ等の金属を使用して製作され、該アダプター枠に装着するフィルター枠並びにフィルター枠の両面に装備されるフィルター側装着部は高分子弾性体を使用して製作されることが好ましい。
【００３４】
また、本発明において、前記アダプター枠には、レンズ保護用フィルターレンズが挟持されており、該レンズ保護用フィルターレンズの入射光側に各種フィルターレンズを装着するためのフィルター枠装着部が設けられていることが好ましい。
【００３５】
斯くして、本発明は、デジタルカメラの鏡筒最前部に撮影目的に応じて選択した紫外線（ＵＶ）カットフィルター、減光（ＮＤ）フィルター、ソフト効果フィルター、並びにスポット効果フィルター、光条効果フィルター等の種々のフィルター枠を装着して撮影を行う際に、前記夫々の機能を有するフィルターレンズを挟持したフィルター枠は、その両面にカメラレンズ鏡筒最前部に装着するフィルター着脱機構を有しており、また、デジタルカメラの鏡筒最前部にはあらかじめ前記フィルター着脱機構に嵌合するフィルター装着部を有するアダプター枠が装着されており、該アダプター枠に暗がりや、シャッターチャンスを逃がしたくない緊急時の撮影現場等において各種フィルターレンズを挟持したフィルター枠を簡単、且つ容易に交換して装着することができるデジタルカメラ用のフィルター着脱機構を提供することができる。
【００３６】
また、本発明におけるアダプター枠は、デジタルカメラの鏡筒最前部のアタッチメント装着機構を汎用化して種々フィルター枠やフードなどのアタッチメントを簡単、且つ容易に着脱可能にするものであり、デジタルカメラの鏡筒最前部のアタッチメント装着用の雌ネジ部を保護してレンズ鏡筒最前部をキズ付けないデジタルカメラ用のフィルター着脱機構を提供することができる。
【００３７】
そして、本発明におけるデジタルカメラのフィルター着脱機構は、最近のフィルター枠が高分子弾性体を用いて製作されるようになってきたことへの対応策がある。即ち、高分子弾性体によるフィルター枠の製作は、フィルター枠の硬度を任意に選択できることから、比較柔らかい高分子弾性体を用いることにより、フィルター枠を製作しデジタルカメラのレンズ最前部に装着して使用することが考えられ、このケースでは、撮影中にカメラのレンズ鏡筒をガラスや壁にぶつけた場合の緩衝材的役割を果たす機能を生じせしめる等の新しい機能と効果が期待されているもので、従来のカメラレンズ鏡筒の最前部は、硬度の硬いレンズ枠内径部にフィルターやフード等のアタッチメント装着用の雌ネジが螺設されており、この雌ネジ部に螺合するフィルター枠の装着部は同程度の硬度を有するアルミ等の金属製からなる雄ネジ部やリング型スプリングによる螺合部や嵌め合い部を構成する必要があったが、本発明では、レンズ鏡筒最前部とフィルター枠間にアダプター枠を介在せしめ、該アダプター枠の入射光側に高分子弾性体用の独自の装着機構を採用することにより、フィルター枠の装着や嵌め合い操作を容易におこなえるデジタルカメラ用のフィルター着脱機構を提供可能にした。
【実施例１】
【００３８】
図１（Ａ）は本発明の実施例１を説明する部材配列図、図１（Ｂ）は実施例１における装着状態を説明する要部断面図である。図１（Ａ）、（Ｂ）において、１はデジタルカメラのレンズ鏡筒、２は本発明の部材を形成するアダプター枠、３は同様に本発明の部材を形成するフィルター枠であり、図上において、前記レンズ鏡筒１、アダプター枠２、フィルター枠３は光軸Ｃ上に図１（Ａ）に示す如く配列されている。尚、図１（Ａ）（Ｂ）において、４はレンズ鏡筒側、５は入射光側を示している。
【００３９】
而して、前記デジタルカメラのレンズ鏡筒１のレンズ鏡筒最前部６の内径部７には、フィルターやフードなどのアタッチメントを装着するための雌ネジ８が螺設されている。実施例１においては、前記アダプター枠２はリング形状を有しており、該アダプター枠２のレンズ鏡筒側４には、デジタルカメラのレンズ鏡筒１の内径部７に設けられた雌ネジ８に螺着可能な雄ネジ９が螺設されている。
【００４０】
また、前記アダプター枠２の入射光側５に設けられるフィルター枠３へのフィルター枠装着部１０は、レンズ鏡筒１の光軸Ｃを中心としてアダプター枠２の外径部１１上に形成されたリング形状のテーパー部１２で、該リング形状のテーパー部１２は入射光側５が小口径でレンズ鏡筒側４が大口径を有した外径部用テーパー部１３が形成されており、該外径部用テーパー部１３の大口径部側にはＵ字形状の係合溝１４が刻設されている。
【００４１】
次に実施例１のアダプター枠２に装着する前記フィルター枠３の形状は、紫外線（ＵＶ）カットフィルター、減光（ＮＤ）フィルター、ソフト効果フィルター、並びにスポット効果フィルター、光条効果フィルターなどの種々のフィルターレンズ１５を夫々挟持した構成で、該フィルター枠３のレンズ鏡筒側４、並びに入射光側５には、内径部テーパー型装着部１６ａ、１６ｂ設けられており、該内径部テーパー型装着部１６ａ、１６ｂはフィルター枠３の内径部に設けられ先端側が大口径でフィルターレンズ１５側が夫々小口径を有している。そして、フィルター枠３の内径部テーパー型装着部１６ａ、１６ｂは、前記各種のフィルターレンズ１５を挟持したフィルター枠３の両面（裏表）に夫々設けられており、該内径部テーパー型装着部１６ａ、１６ｂの先端部には夫々半円形状の突起部１７が設けられており、前記レンズ鏡筒１の最前部に予めアダプター枠２を装着しておき、該アダプター枠２のリング形状テーパー部１２にフィルター枠２の両面に設けられた内径部テーパー型装着部１６ａ、１６ｂのどちらかを嵌合することで前記フィルター枠３をレンズ鏡筒１のレンズ鏡筒最前部６に装着する。
【００４２】
而して、アダプター枠２には、外径部用テーパー部１３が設けられており、フィルター枠３には内径部テーパー型装着部１６ａ、１６ｂ設けられているので、アダプター枠２とフィルター枠３の嵌合は互いのテーパー部にて図１（Ｂ）に示す如く行われるが、前記アダプター枠２の外径部用テーパー部１３の大口径部にはＵ字形状の係合溝１４が刻設されており、また、フィルター枠３の両面に夫々設けられた内径部テーパー型装着部１６ａ、１６ｂの先端部には夫々半円形状の突起部１７が設けられていることで、フィルター枠３のアダプター枠２への装着は、装着時に「カチャ」と、所謂クリック感を有して行われるので操作が確実となり、また当該部の装着が不意に外れることはない。
【００４３】
尚、実施例１のアダプター枠２において、１８は着脱操作をするために突出した外径を有した挟持部で、該挟持部１８は外周表面に滑り止めのローレット加工が施してある。そして、アダプター枠２はアルミ等の金属を使用して製作され、該アダプター枠２に装着するフィルター枠３、並びにフィルター枠３の両面に装備されるフィルター側装着部は高分子弾性体を使用して製作されている。また、前記アダプター枠２にはレンズ保護用フィルターレンズが挟持された構成とすることも可能で、この場合には、アダプター枠２がレンズ保護用のフィルター枠を兼用することができる。
【００４４】
斯くして、本発明は、デジタルカメラのレンズ鏡筒１のレンズ鏡筒最前部６の内径部７に設けられた雌ネジ８に螺合する雄ネジ９を有したアダプター枠２は、その入射光側５にフィルター枠３のフィルター枠装着部１０を有しており、該アダプター枠２は予めレンズ鏡筒最前部６の内径部７に装着し、該アダプター枠２を介して各種機能付きフィルター枠３をレンズ鏡筒側４に装着可能とし、該各種機能付きフィルター枠３は、前記アダプター枠２に対して裏表構わず装着でき、且つ任意に離脱可能な内径部テーパー型装着部１６ａ、１６ｂをフィルター枠３の両面（裏表）に形成したデジタルカメラ用のフィルター着脱機構を提供するものである。
【００４５】
また、本発明の実施例１において、アダプター枠２の入射光側５に設けられるフィルター枠装着部１０は、デジタルカメラのレンズ鏡筒１の光軸Ｃを中心としてアダプター枠２の外径側に形成されたリング形状のテーパー部１２で、該リング形状のテーパー部１２は入射光側５が小口径でレンズ鏡筒側４が大口径を有した外径部用テーパー部１３を有しており、該外径部用テーパー部１３に嵌合するフィルター枠３の内径部テーパー型装着部１６ａ、１６ｂはフィルター枠３の内径部７に設けられ先端側が大口径でフィルターレンズ１５側が小口径を有して各種機能を有するフィルターレンズ１５を挟持したフィルター枠３の両面に夫々設けられており、前記デジタルカメラのレンズ鏡筒最前部６に予めアダプター枠２を装着しておき、該アダプター枠２の外径部用テーパー部１３にフィルター枠３の両面（裏表）に設けられた内径部テーパー型装着部１６ａ、１６ｂのどちらかを嵌合して前記フィルター枠３を装着するデジタルカメラ用のフィルター着脱機構である。
【００４６】
更に、実施例１の他の具体的な機構例として、前記アダプター枠２の入射光側５に設けられるフィルター枠装着部１０は、デジタルカメラのレンズ鏡筒１の光軸Ｃを中心としてアダプター枠２の外径側に形成されたリング形状のテーパー部１２で、該リング形状のテーパー部１２は入射光側５が小口径でレンズ鏡筒側４が大口径を有した外径部用テーパー部１３であり、該外径部用テーパー部１３の大口径部にはＵ字形状の係合溝１４が刻設され、該外径部用テーパー部１３に嵌合するフィルター枠３の内径部テーパー型装着部１６ａ、１６ｂの先端部には半丸形状の突起部１７が設けられており、また前記デジタルカメラのレンズ鏡筒最前部６に予めアダプター枠２を装着しておき、該アダプター枠２の外径部用テーパー部１３に形成されたＵ字形状の係合溝１４にフィルター枠３の内径部テーパー型装着部１６ａ、１６ｂに設けられた半丸形状の突起部１７が嵌合することでフィルター枠２の両面に設けられた内径部テーパー型装着部１６ａ、１６ｂのどちらかを嵌合して前記フィルター枠３を装着するデジタルカメラ用のフィルター着脱機構を提供するものである。
【００４７】
斯くして、実施例１は、デジタルカメラの鏡筒最前部に撮影目的に応じて選択した紫外線（ＵＶ）カットフィルター、減光（ＮＤ）フィルター、ソフト効果フィルター、並びにスポット効果フィルター、光条効果フィルターなどの種々のフィルター枠を装着して撮影を行う際に、前記夫々の機能を有するフィルターレンズを挟持したフィルター枠は、その両面にカメラレンズ鏡筒最前部に装着するフィルター着脱機構を有しており、また、デジタルカメラの鏡筒最前部にはあらかじめ前記フィルター着脱機構に嵌合するフィルター装着部を有するアダプター枠が装着されており、該アダプター枠に暗がりや、シャッターチャンスを逃がしたくない緊急時の撮影現場等において各種フィルターレンズを挟持したフィルター枠を簡単、且つ容易に交換して装着することができるデジタルカメラ用のフィルター着脱機構を提供することができる。
【００４８】
また、実施例１におけるアダプター枠は、デジタルカメラの鏡筒最前部のアタッチメント装着機構を汎用化して種々フィルター枠やフードなどのアタッチメントを簡単、且つ容易に着脱可能にするものであり、デジタルカメラの鏡筒最前部のアタッチメント装着用の雌ネジ部を保護してレンズ鏡筒最前部をキズ付けないデジタルカメラ用のフィルター着脱機構を提供することができる。
【００４９】
そして、実施例１におけるデジタルカメラのフィルター着脱機構は、最近のフィルター枠が高分子弾性体を用いて製作されるようになってきたことへの対応策がある。即ち、高分子弾性体によるフィルター枠の製作は、フィルター枠の硬度を任意に選択できることから、比較柔らかい高分子弾性体を用いることにより、フィルター枠を製作しデジタルカメラのレンズ最前部に装着して使用することが考えられ、このケースでは、撮影中にカメラのレンズ鏡筒をガラスや壁にぶつけた場合の緩衝材的役割を果たす機能を生じせしめる等の新しい機能と効果が期待されているもので、従来のカメラレンズ鏡筒の最前部は、硬度の硬いレンズ枠内径部にフィルターやフード等のアタッチメント装着用の雌ネジが螺設されており、この雌ネジ部に螺合するフィルター枠の装着部は同程度の硬度を有するアルミ等の金属製からなる雄ネジ部やリング型スプリングによる螺合部や嵌め合い部を構成する必要があったが、本発明では、レンズ鏡筒最前部とフィルター枠間にアダプター枠を介在せしめ、該アダプター枠の入射光側に高分子弾性体用の独自の装着機構を採用することにより、フィルター枠の装着や嵌め合い操作を容易におこなえるデジタルカメラ用のフィルター着脱機構を提供可能にした。
【実施例２】
【００５０】
図２（Ａ）は、本発明の実施例２を説明する部材配列図、図２（Ｂ）は、実施例２における装着状態を説明する要部断面図であり、図３（Ａ）は、実施例２の他の実施例を説明する要部拡大図、図３（Ｂ）はその機構位置説明側面図である。
【００５１】
図２（Ａ）、（Ｂ）において、１はデジタルカメラのレンズ鏡筒、２は本発明の部材を形成するアダプター枠、３は同様に本発明を形成するフィルター枠であり、図上において、前記レンズ鏡筒１、アダプター枠２、フィルター枠３は光軸Ｃ上に図２（Ａ）に示す如く配列されている。尚、図２において、４はレンズ鏡筒側、５は入射光側を示している。
【００５２】
而して、前記デジタルカメラのレンズ鏡筒１のレンズ鏡筒最前部６の内径部７には、フィルターやフードなどのアタッチメントを装着するための雌ネジ８が螺設されている。実施例２においては、前記アダプター枠２はリング形状を有しており、該アダプター枠２のレンズ鏡筒側４には、デジタルカメラのレンズ鏡筒１の内径部７に設けられた雌ネジ８に螺着できる雄ネジ９が螺設されている。
【００５３】
また、前記アダプター枠２の入射光側５に設けられるフィルター枠３へのフィルター枠装着部１０は、レンズ鏡筒１の光軸Ｃを中心としてアダプター枠２のアダプター内径部１９に形成されたリング形状の嵌合溝２０で、該リング形状の嵌合溝２０は外部側に凸部係止突起２１が形成してある。
【００５４】
次に前記フィルター枠３の形状は、紫外線（ＵＶ）カットフィルター、減光（ＮＤ）フィルター、ソフト効果フィルター、並びにスポット効果フィルター、光条効果フィルターなどの種々のフィルターレンズ１５を夫々挟持可能な構成を有しており、該フィルター枠３のレンズ鏡筒側４、並びに入射光側５の外縁部２２には、前記アダプター枠２に設けられた嵌合溝２０に嵌合する嵌合係止爪２３ａ、２３ｂ、２４ａ、２４ｂが設けられている。
【００５５】
而して、前記嵌合係止爪２３ａ、２３ｂ、２４ａ、２４ｂは、フィルター枠３の外縁部２２より外部側に突出して設けられた弾性体板材２５の先端部に夫々位置し、該弾性体板材２５の他端はフィルター枠３内部で固定されている。また、弾性体板材２５の外径部２６に設けられた摘子２７ａ、２７ｂ，２８ａ、２８ｂをフィルター枠の外径部２６より押圧することにより夫々の弾性体板材２５を介して前記先端部の嵌合係止爪２３ａ、２３ｂ、２４ａ、２４ｂが光軸Ｃ方向に可動する構成のフィルター側装着部２９、３０を構成している。
【００５６】
また、前記フィルター側装着部２９、３０は、各種機能を有するフィルター枠３の両面（裏表）に夫々設けられており、前記レンズ鏡筒１のレンズ鏡筒最前部６に予めアダプター枠２を装着しておき、該アダプター枠２の内径部１９に形成された嵌合溝２０の凸部係止突起２１にフィルター枠３の両面に設けられた嵌合係止爪２３ａ、２３ｂ、２４ａ、２４ｂからなるフィルター側装着部２９、３０のどちらかを任意に嵌合して前記フィルター枠３の装着を行う（図２（Ｂ）に示す）ものであり、該フィルター枠３の装着時には、前記先端部の嵌合係止爪２３ａ、２３ｂ、２４ａ、２４ｂが弾性体板材２５を介して構成されていることから、装着時に所謂、「カチッ」とするクリック感があり、フィルター枠３の装着が確認できるものである。
【００５７】
斯くして、図３（Ａ）は、実施例２の他の例を説明する要部拡大図、図３（Ｂ）はその機構位置説明用の左側面図である。図３（Ａ）、（Ｂ）において、３はフィルター枠、４はレンズ鏡筒側、５は入射光側、１５はフィルターレンズ、２２は外縁部、２３ａ、２３ｂ、２４ａ、２４ｂは嵌合係止爪、２５は弾性体板材、２６はフィルター枠の外径部、２７ａ、２７ｂ、２８ａ、２８ｂは摘子、２９、３０はフィルター装着部である。
【００５８】
図３（Ａ）（Ｂ）は、図２の実施例２の実施例に対してフィルター枠３の両面（裏表）に配置された嵌合係止爪２３ａ、２３ｂ、２４ａ、２４ｂと摘子２７ａ、２７ｂ，２８ａ、２８ｂの位置を互いに９０度ずらして配置して、摘子２７ａ、２７ｂ，２８ａ、２８ｂの操作性を良くしたものである。
【００５９】
尚、実施例２においても、アダプター枠２はアルミ等の金属を使用して製作され、該アダプター枠２に装着するフィルター枠３、並びにフィルター枠３の両面（裏表）に装備されるフィルター装着部２９、３０は高分子弾性体を使用して製作される。また、前記アダプター枠２にはレンズ保護用フィルターレンズが挟持可能に構成できアダプター枠２がレンズ保護用のフィルター枠を兼用することも可能である。
【００６０】
斯くして、実施例２は、デジタルカメラの鏡筒最前部に撮影目的に応じて選択した紫外線（ＵＶ）カットフィルター、減光（ＮＤ）フィルター、ソフト効果フィルター、並びにスポット効果フィルター、光条効果フィルターなどの種々のフィルター枠を装着して撮影を行う際に、前記夫々の機能を有するフィルターレンズを挟持したフィルター枠は、その両面にカメラレンズ鏡筒最前部に装着するフィルター着脱機構を有しており、また、デジタルカメラの鏡筒最前部にはあらかじめ前記フィルター着脱機構に嵌合するフィルター装着部を有するアダプター枠が装着されており、該アダプター枠に暗がりや、シャッターチャンスを逃がしたくない緊急時の撮影現場等において各種フィルターレンズを挟持したフィルター枠を簡単、且つ容易に交換して装着することができるデジタルカメラ用のフィルター着脱機構を提供することができる。
【００６１】
また、実施例２におけるアダプター枠は、デジタルカメラの鏡筒最前部のアタッチメント装着機構を汎用化して種々フィルター枠やフードなどのアタッチメントを簡単、且つ容易に着脱可能にするものであり、デジタルカメラの鏡筒最前部のアタッチメント装着用の雌ネジ部を保護してレンズ鏡筒最前部をキズ付けないデジタルカメラ用のフィルター着脱機構を提供することができる。
【００６２】
そして、実施例２におけるデジタルカメラのフィルター着脱機構は、最近のフィルター枠が高分子弾性体を用いて製作されるようになってきたことへの対応策がある。即ち、高分子弾性体によるフィルター枠の製作は、フィルター枠の硬度を任意に選択できることから、比較柔らかい高分子弾性体を用いることにより、フィルター枠を製作しデジタルカメラのレンズ最前部に装着して使用することが考えられ、このケースでは、撮影中にカメラのレンズ鏡筒をガラスや壁にぶつけた場合の緩衝材的役割を果たす機能を生じせしめる等の新しい機能と効果が期待できる。
【００６３】
また、従来のカメラレンズ鏡筒の最前部は、硬度の硬いレンズ枠内径部にフィルターやフード等のアタッチメント装着用の雌ネジが螺設されており、この雌ネジ部に螺合するフィルター枠の装着部は同程度の硬度を有するアルミ等の金属製からなる雄ネジ部やリング型スプリングによる螺合部や嵌め合い部を構成する必要があったが、実施例２では、レンズ鏡筒最前部とフィルター枠間にアダプター枠を介在せしめ、該アダプター枠の入射光側に高分子弾性体用の独自の装着機構を採用することにより、フィルター枠の装着や嵌め合い操作を簡単、且つ容易におこなえるデジタルカメラ用のフィルター着脱機構を提供可能にした。
【符号の説明】
【００６４】
１  レンズ鏡筒
２  アダプター枠
３  フィルター枠
４  レンズ鏡筒側
５  入射光側
６  レンズ鏡筒最前部
７  内径部
８  雌ネジ
９  雄ネジ
１０  フィルター枠装着部
１１  アダブター枠の外径部
１２  リング形状テーパー部
１３  外径部用テーパー部
１４  係合溝
１５  フィルターレンズ
１６ａ、１６ｂ  内径部テーパー型装着部
１７  突起部
１８  挟持部
１９  アダプター内径部
２０  嵌合溝
２１  凸部係止突起部
２２  外縁部
２３ａ、２３ｂ  嵌合係止爪
２４ａ、２４ｂ  嵌合係止爪
２５  弾性体板材
２６  フィルター枠の外径部
２７ａ、２７ｂ  摘子
２８ａ、２８ｂ  摘子
２９  フィルター装着部
３０  フィルター装着部
Ｃ  光軸
【図１】
0005449476.tif 000002
【図２】
0005449476.tif 000003
【図３】
0005449476.tif 000004